(57)【要約】【課題】書籍データの内容を読む使用者が、読んでいる部分を見失いにくくする電子書籍装置を提供する。【解決手段】  書籍の内容を電子化した書籍データが表す内容を表示部（表示画面）１４に表示する電子書籍装置１は、使用者の視線を視線検出部１５で検出することにより、表示部１４上で使用者が注目している位置を判定し、判定した位置に内容が表示されている書籍データ中の部分の内容を色の反転表示等によって強調して表示する。これにより、表示された書籍データの内容の内で、使用者が注目している部分の内容が色の反転表示等によって強調され、使用者は読んでいる最中の部分を見失いにくくなる。【選択図】図１
2007102360.tif 000002
【特許請求の範囲】
【請求項１】
テキスト及び／又は画像からなる書籍の内容を電子化した書籍データを記憶する手段と、該手段が記憶する書籍データが表す内容を表示する表示画面とを備える電子書籍装置において、
前記表示画面に対する視線を検出する手段と、
該手段が検出した視線に基づいて、前記視線により注目されている前記表示画面上での位置を判定する手段と、
該手段が判定した前記位置に内容が表示されている前記書籍データ中の部分を特定する手段と、
該手段が特定した部分を含む前記書籍データ中の所定部分が表す内容を強調して前記表示画面に表示させる手段と
を備えることを特徴とする電子書籍装置。
【請求項２】
テキストからなる書籍の内容を電子化した書籍データを記憶する手段と、該手段が記憶する書籍データが表す内容を表示する表示画面とを備える電子書籍装置において、
前記表示画面に対する視線を検出する手段と、
該手段が検出した視線に基づいて、前記視線により注目されている前記表示画面上での位置を判定する手段と、
該手段が判定した前記位置に内容が表示されている前記書籍データ中の部分を特定する手段と、
該手段が特定した部分を含む前記書籍データ中の所定部分が表すテキストの内容を音声へ変換する手段と、
該手段が変換した音声を出力する手段と
を備えることを特徴とする電子書籍装置。
【請求項３】
テキスト及び／又は画像からなる書籍の内容を電子化した書籍データを記憶する手段と、該手段が記憶する書籍データが表す内容を表示する表示画面とを備える電子書籍装置において、
前記表示画面への接触を検出し、接触された前記表示画面上での位置を判定する手段と、
該手段が判定した前記位置に内容が表示されている前記書籍データ中の部分を特定する手段と、
該手段が特定した部分を含む前記書籍データ中の所定部分が表す内容を強調して前記表示画面に表示させる手段と
を備えることを特徴とする電子書籍装置。
【請求項４】
テキストからなる書籍の内容を電子化した書籍データを記憶する手段と、該手段が記憶する書籍データが表す内容を表示する表示画面とを備える電子書籍装置において、
前記表示画面への接触を検出し、接触された前記表示画面上での位置を判定する手段と、
該手段が判定した前記位置に内容が表示されている前記書籍データ中の部分を特定する手段と、
該手段が特定した部分を含む前記書籍データ中の所定部分が表すテキストの内容を音声へ変換する手段と、
該手段が変換した音声を出力する手段と
を備えることを特徴とする電子書籍装置。
【発明の詳細な説明】
【技術分野】
【０００１】
本発明は、書籍の内容を電子化した書籍データが表す内容を表示する電子書籍装置に関する。
【背景技術】
【０００２】
書籍を配布する方法として、書籍の内容を電子化した書籍データを通信ネットワーク経由で配布するか、又は書籍データを記録した記録媒体を配布する方法がある。配布の際に課金を行うことで、同様の方法で書籍を販売することもできる。ＰＣ（パーソナルコンピュータ）、ＰＤＡ（Personal Digital Assistant）又は携帯電話機等の情報処理装置で書籍データに基づいた画像を表示することにより、書籍データの内容が表示され、使用者が書籍データの内容を読むことができる。近年では、書籍データの内容を読むために利用できる専用の電子書籍装置が開発されており、特許文献１にはその一例が開示されている。
【特許文献１】特開２００２−１８３２０７号公報
【発明の開示】
【発明が解決しようとする課題】
【０００３】
電子書籍装置は、液晶パネル等の表示部を備え、書籍データに基づいた画像、特にテキストデータの内容を表す文字画像を表示部に表示する。しかしながら、表示部に表示された書籍データの内容を読む使用者は、紙に記録された内容を読む場合に比べて、読んでいる最中の部分がどこであったかを見失い易いという問題がある。
【０００４】
本発明は、斯かる事情に鑑みてなされたものであって、その目的とするところは、書籍データの内容を読む使用者が、読んでいる部分を見失いにくくする電子書籍装置を提供することにある。
【課題を解決するための手段】
【０００５】
本発明に係る電子書籍装置は、テキスト及び／又は画像からなる書籍の内容を電子化した書籍データを記憶する手段と、該手段が記憶する書籍データが表す内容を表示する表示画面とを備える電子書籍装置において、前記表示画面に対する視線を検出する手段と、該手段が検出した視線に基づいて、前記視線により注目されている前記表示画面上での位置を判定する手段と、該手段が判定した前記位置に内容が表示されている前記書籍データ中の部分を特定する手段と、該手段が特定した部分を含む前記書籍データ中の所定部分が表す内容を強調して前記表示画面に表示させる手段とを備えることを特徴とする。
【０００６】
本発明においては、書籍の内容を電子化した書籍データが表す内容を表示画面に表示する電子書籍装置は、使用者の視線を検出することにより、表示画面上で使用者が注目している位置を判定し、判定した位置に内容が表示されている書籍データ中の部分を特定し、特定した部分を含む書籍データ中の所定部分の内容を色の反転表示等によって強調して表示する。これにより、表示された書籍データの内容の内で、使用者が注目している部分の内容が色の反転表示等によって強調される。
【０００７】
本発明に係る電子書籍装置は、テキストからなる書籍の内容を電子化した書籍データを記憶する手段と、該手段が記憶する書籍データが表す内容を表示する表示画面とを備える電子書籍装置において、前記表示画面に対する視線を検出する手段と、該手段が検出した視線に基づいて、前記視線により注目されている前記表示画面上での位置を判定する手段と、該手段が判定した前記位置に内容が表示されている前記書籍データ中の部分を特定する手段と、該手段が特定した部分を含む前記書籍データ中の所定部分が表すテキストの内容を音声へ変換する手段と、該手段が変換した音声を出力する手段とを備えることを特徴とする。
【０００８】
本発明においては、書籍の内容を電子化した書籍データが表す内容を表示画面に表示する電子書籍装置は、使用者の視線を検出することにより、表示画面上で使用者が注目している位置を判定し、判定した位置に内容が表示されている書籍データ中の部分を特定し、特定した部分を含む書籍データ中の所定部分のテキスト内容を音声で出力する。これにより、表示された書籍データの内容の内で、使用者が注目している部分のテキスト内容が音声で出力される。
【０００９】
本発明に係る電子書籍装置は、テキスト及び／又は画像からなる書籍の内容を電子化した書籍データを記憶する手段と、該手段が記憶する書籍データが表す内容を表示する表示画面とを備える電子書籍装置において、前記表示画面への接触を検出し、接触された前記表示画面上での位置を判定する手段と、該手段が判定した前記位置に内容が表示されている前記書籍データ中の部分を特定する手段と、該手段が特定した部分を含む前記書籍データ中の所定部分が表す内容を強調して前記表示画面に表示させる手段とを備えることを特徴とする。
【００１０】
本発明においては、書籍の内容を電子化した書籍データが表す内容を表示画面に表示する電子書籍装置は、使用者の指等が接触した表示画面上の位置を判定し、判定した位置に内容が表示されている書籍データ中の部分を特定し、特定した部分を含む書籍データ中の所定部分の内容を色の反転表示等によって強調して表示する。これにより、表示された書籍データの内容の内で、使用者が指で押さえることによって指定した部分の内容が色の反転表示等によって強調される。
【００１１】
本発明に係る電子書籍装置は、テキストからなる書籍の内容を電子化した書籍データを記憶する手段と、該手段が記憶する書籍データが表す内容を表示する表示画面とを備える電子書籍装置において、前記表示画面への接触を検出し、接触された前記表示画面上での位置を判定する手段と、該手段が判定した前記位置に内容が表示されている前記書籍データ中の部分を特定する手段と、該手段が特定した部分を含む前記書籍データ中の所定部分が表すテキストの内容を音声へ変換する手段と、該手段が変換した音声を出力する手段とを備えることを特徴とする。
【００１２】
本発明においては、書籍の内容を電子化した書籍データが表す内容を表示画面に表示する電子書籍装置は、使用者の指等が接触した表示画面上の位置を判定し、判定した位置に内容が表示されている書籍データ中の部分を特定し、特定した部分を含む書籍データ中の所定部分のテキスト内容を音声で出力する。これにより、表示された書籍データの内容の内で、使用者が指で押さえることによって指定した部分のテキスト内容が音声で出力される。
【発明の効果】
【００１３】
本発明にあっては、電子書籍装置で表示された書籍データの内容の内で、使用者が注目している部分の内容が色の反転表示等によって強調され、使用者は、読んでいる最中の部分を容易に確認することができるので、読んでいる最中の部分を見失いにくくなり、書籍データの内容をストレスなく読み進めることができるようになる。
【００１４】
本発明にあっては、電子書籍装置で表示された書籍データの内容の内で、使用者が注目している部分のテキスト内容が音声で出力され、使用者は、読んでいる最中の部分を音声で確認することができるので、読んでいる最中の部分を見失いにくくなり、書籍データの内容をストレスなく読み進めることができるようになる。
【００１５】
本発明にあっては、電子書籍装置で表示された書籍データの内容の内で、使用者が指で押さえることによって指定した部分の内容が色の反転表示等によって強調され、使用者は、指で指定した部分に表示される内容を容易に確認することができるので、書籍データの内容の内で読んでいる最中の部分を見失いにくくなり、書籍データの内容をストレスなく読み進めることができるようになる。
【００１６】
本発明にあっては、電子書籍装置で表示された書籍データの内容の内で、使用者が指で押さえることによって指定した部分のテキスト内容が音声で出力され、使用者は、指で指定した部分に表示されるテキスト内容を音声で確認することができるので、読んでいる最中の部分を見失いにくくなり、書籍データの内容をストレスなく読み進めることができるようになる等、本発明は優れた効果を奏する。
【発明を実施するための最良の形態】
【００１７】
以下本発明をその実施の形態を示す図面に基づき具体的に説明する。
（実施の形態１）
図１は、実施の形態１に係る本発明の電子書籍装置の内部構成を示すブロック図である。電子書籍装置１は、演算を行うＣＰＵ１１と、演算に伴う各種のデータを記憶するＲＡＭ１２と、制御プログラムを記憶するＲＯＭ１３とを備えている。ＣＰＵ１１は、ＲＯＭ１３が記憶する制御プログラムに従って、電子書籍装置１全体の動作を制御する構成となっている。また電子書籍装置１は、液晶パネル又はＥＬ（Electroluminescence ）パネル等でなる表示部（表示画面）１４を備え、表示部１４には、表示部１４が表示する画像を生成する表示制御部１４１が接続されている。表示制御部１４１は、ＣＰＵ１１に接続されており、ＣＰＵ１１に制御されて表示部１４が表示するための画像を生成する構成となっている。またＣＰＵ１１には、ハードディスク又は半導体メモリ等からなる記憶部１６と、使用者が操作することで各種の処理指示が入力される操作部１７と、スピーカ又はヘッドホン端子等からなる音声出力部１８とが接続されている。記憶部１６はテキストからなる書籍の内容を電子化した書籍データを記憶しており、電子書籍装置１は、図示しない通信手段を用いて外部の通信ネットワークから書籍データをダウンロードするか、又は図示しない可搬型の記録媒体に記録された書籍データを読み込み、書籍データを記憶部１６で記憶する構成となっている。なお記憶部１６は、半導体メモリカード等の着脱可能な記憶媒体が電子書籍装置１に装着した形態であってもよい。ＣＰＵ１１は、記憶部１６が記憶する書籍データに基づいた画像を表示制御部１４１に生成させて表示部１４に表示させることにより、書籍データが表す内容を表示部１４に表示させる処理を行う。
【００１８】
更に、ＣＰＵ１１には、表示部１４を目視する使用者の視線を検出する処理を実行する視線検出部１５が接続されている。また視線検出部１５には、発光ダイオード等を用いて赤外線を照射する発光部１５２と、レンズ及び撮像素子等を用いて赤外線による画像を撮像する撮像部１５１とが接続されている。発光部１５２は、表示部１４の表示内容を目視している使用者の眼球に対して赤外線を照射し、撮像部１５１は、使用者の眼球で反射された赤外線を受光して、赤外線による眼球像を撮像する。視線検出部１５は、撮像部１５１が撮像した眼球の角膜からの反射光による角膜反射像と瞳孔の結像位置とを用いて、使用者の視線を検出し、検出した視線に基づいて、使用者が注目している表示部１４上の位置（以下、注目位置という）を判定する処理を行う。
【００１９】
図２は、実施の形態１に係る電子書籍装置１の外観の例を示す正面図である。電子書籍装置１の正面には表示部１４が設けられており、表示部１４の下方に各種のスイッチ類からなる操作部１７が配置されている。表示部１４の上方には、撮像部１５２を構成する受光レンズ１５３と発光部１５２とが配置されている。表示部１４に表示された内容を使用者が読んでいる状態で、発光部１５２から赤外線が照射され、使用者の視線が検出される。
【００２０】
図３は、実施の形態１に係る電子書籍装置１が実行する処理の手順を示すフローチャートである。ＣＰＵ１１は、記憶部１６が記憶する書籍データに基づいた画像を表示制御部１４１に生成させて表示部１４に表示させる（Ｓ１１）。使用者は、表示部１４の表示内容を目視することで、書籍データが表す内容を読むことができる。ＣＰＵ１１は、次に、視線検出部１５に使用者の視線を検出する処理を実行させ（Ｓ１２）、使用者が注目している表示部１４上の注目位置を判定させる。ＣＰＵ１１は、次に、表示部１４に内容が表示されている書籍データに含まれる部分の内、判定した表示部１４上の注目位置に内容が表示されている書籍データ中の部分（以下、注目部分という）を特定する（Ｓ１３）。ＣＰＵ１１は、次に、書籍データに基づいた画像を表示部１４に表示させる際に、特定した書籍データ中の注目部分が表す内容を強調した画像を表示部１４に表示させる（Ｓ１４）。このとき、表示部１４は、注目部分の内容に対応する文字を太字にした画像、注目部分の内容の表示色を他の部分とは異なる色にした画像、注目部分の内容の背景色を他の部分とは異なる色にした画像、又は注目部分の内容の表示色と背景色とを反転した画像等を表示することにより、注目部分の内容を強調する。ＣＰＵ１１は、次に、使用者の操作によって処理の終了の指示が操作部１７に入力されたか否かに基づいて、書籍データの内容を表示する処理を終了すべきか否かを判定する（Ｓ１５）。処理を終了すべきでないと判定した場合は（Ｓ１５：ＮＯ）、ＣＰＵ１１は、処理をステップＳ１１へ戻して書籍データの内容の表示を続行する。処理を終了すべきであると判定した場合は（Ｓ１５：ＹＥＳ）、ＣＰＵ１１は、書籍データの内容を表示する処理を終了する。
【００２１】
図４は、視線検出によって表示内容の一部を強調した電子書籍装置１を示す正面図である。視線検出により、表示部１４上で使用者が注目している注目位置が判定され、使用者が注目している注目部分の内容が、色の反転表示等によって強調された強調部分１４２となって表示部１４に表示される。これによって使用者は、書籍データの内容の内で読んでいる最中の部分を容易に確認することができるので、読んでいる最中の部分を見失いにくくなり、書籍データの内容をストレスなく読み進めることができるようになる。
【００２２】
なお、本発明の電子書籍装置１は、書籍データ中の注目部分の内容のみを強調する形態に限るものではなく、文節、文又は行等の所定の部分に予め書籍データを分割しておき、注目部分を含んだ所定の部分の内容を強調する形態であってもよい。また電子書籍装置１は、注目部分を含み既に読破した部分の内容を強調する形態であってもよい。また電子書籍装置１は、使用者が読みやすい状態を選択できるように、どの部分の内容を強調するかを切り替える機能を有する形態であってもよい。これらの機能によって、使用者は、電子書籍装置１が表示する書籍データの内容をより読みやすくなる。
【００２３】
また本発明の電子書籍装置１は、書籍データ中の注目部分を強調して表示するのではなく、書籍データ中のテキストを音声で読み上げる処理を行うことも可能である。図５は、実施の形態１に係る電子書籍装置１が実行する音声読み上げの処理の手順を示すフローチャートである。使用者の操作により操作部１７に入力された所定の指示に従って、ＣＰＵ１１は、音声読み上げを行うべく設定し、以下の処理を実行する。ＣＰＵ１１は、記憶部１６が記憶する書籍データに基づいたテキスト画像を表示制御部１４１に生成させて表示部１４に表示させ（Ｓ２１）、視線検出部１５に使用者の視線を検出する処理を実行させて（Ｓ２２）、使用者が注目している表示部１４上の注目位置を判定させる。ＣＰＵ１１は、次に、判定した表示部１４上の注目位置に内容が表示されている書籍データ中の注目部分を特定する（Ｓ２３）。ＣＰＵ１１は、次に、特定した書籍データ中の注目部分が表すテキストの内容を音声へ変換する処理を行い（Ｓ２４）、音声出力部１８に音声を出力させる（Ｓ２５）。使用者は、ヘッドホンを用いる等の方法で、音声出力部１８が出力した音声を聞くことにより、書籍データ中の注目部分が表すテキストの内容を音声で知ることができる。ＣＰＵ１１は、次に、使用者の操作によって処理の終了の指示が操作部１７に入力されたか否かに基づいて、書籍データの内容を表示する処理を終了すべきか否かを判定する（Ｓ２６）。処理を終了すべきでないと判定した場合は（Ｓ２６：ＮＯ）、ＣＰＵ１１は、処理をステップＳ２１へ戻す。処理を終了すべきであると判定した場合は（Ｓ２６：ＹＥＳ）、ＣＰＵ１１は、書籍データの内容を表示する処理を終了する。
【００２４】
以上のようにして、視線検出により、表示部１４上で使用者が注目している注目位置が判定され、使用者が注目している注目部分のテキスト内容が音声で出力される。これによって使用者は、書籍データの内容の内で読んでいる最中の部分を音声で確認することができるので、読んでいる最中の部分を見失いにくくなり、書籍データの内容をストレスなく読み進めることができるようになる。
【００２５】
なお、本実施の形態においては、テキストからなる書籍データを利用した形態を示したが、本発明の電子書籍装置１は、これに限るものではなく、漫画等の画像を含んだ書籍の内容を電子化した書籍データを利用する形態であってもよい。例えば、電子書籍装置１は、漫画を電子化した書籍データを各コマ部分に予め分割しておき、注目部分を含むコマ部分の画像の表示色を他の部分とは異なる色にするか、又は注目部分を含むコマ部分の画像を明瞭な色で縁取る等の方法により、注目部分を含むコマ部分を強調する処理を行う形態であってもよい。また電子書籍装置１は、注目部分がテキストではなく画像に含まれる場合に、画像に関連付けられた音声を出力する処理を行う形態であってもよい。
【００２６】
（実施の形態２）
図６は、実施の形態２に係る本発明の電子書籍装置の内部構成を示すブロック図である。本実施の形態においては、書籍データの内容を表示している表示部を使用者が指で接触することにより、使用者が読んでいる最中の部分を確認することができる電子書籍装置を実現する。本実施の形態に係る電子書籍装置２は、表示部１４の表面に人体が接触することによる静電容量の変化を検出する等の方法により、表示部１４の表面への人体の接触を検出し、表示部１４のどの位置に接触されたかを判定する処理を行う接触検出部２１を備え、接触検出部２１はＣＰＵ１１に接続されている。電子書籍装置２のその他の構成は、図１に示した実施の形態１と同様であり、対応する部分に同符号を付してその説明を省略する。
【００２７】
図７は、実施の形態２に係る電子書籍装置２が実行する処理の手順を示すフローチャートである。ＣＰＵ１１は、記憶部１６が記憶する書籍データに基づいた画像を表示制御部１４１に生成させて表示部１４に表示させる（Ｓ３１）。ＣＰＵ１１は、次に、表示部１４のいずれかの位置に人体が接触することによる表示部１４上の位置の指定を接触検出部２１が検出することを待ち受ける（Ｓ３２）。位置の指定の検出がない場合は（Ｓ３２：ＮＯ）、ＣＰＵ１１は、処理をステップＳ３１へ戻す。表示部１４上の位置の指定を接触検出部２１が検出した場合は（Ｓ３２：ＹＥＳ）、表示部１４に内容が表示されている書籍データに含まれる部分の内で検出した表示部１４上の指定位置に内容が表示されている書籍データ中の注目部分を特定する（Ｓ３３）。ＣＰＵ１１は、次に、書籍データに基づいた画像を表示部１４に表示させる際に、実施の形態１と同様の方法で、特定した書籍データ中の注目部分が表す内容を強調した画像を表示部１４に表示させる（Ｓ３４）。ＣＰＵ１１は、次に、使用者の操作によって処理の終了の指示が操作部１７に入力されたか否かに基づいて、書籍データの内容を表示する処理を終了すべきか否かを判定する（Ｓ３５）。処理を終了すべきでないと判定した場合は（Ｓ３５：ＮＯ）、ＣＰＵ１１は、処理をステップＳ３１へ戻す。処理を終了すべきであると判定した場合は（Ｓ３５：ＹＥＳ）、ＣＰＵ１１は、書籍データの内容を表示する処理を終了する。
【００２８】
図８は、接触検出によって表示内容の一部を強調した電子書籍装置２を示す正面図である。表示部１４上で使用者が指で押さえることにより指定した位置が判定され、指定位置に表示されるべき注目部分の内容が、色の反転表示等によって強調された強調部分１４３となって表示部１４に表示される。これによって使用者は、書籍データの内容が表示されている表示部１４の一部を指で指定することで、指で指定した部分に表示される内容を容易に確認することができるので、書籍データの内容の内で読んでいる最中の部分を見失いにくくなり、書籍データの内容をストレスなく読み進めることができるようになる。なお、本発明の電子書籍装置１は、文節、文又は行等の所定の部分に予め書籍データを分割しておき、表示部１４上の指定位置に対応する注目部分を含んだ所定の部分の内容を強調する形態であってもよい。
【００２９】
また本実施の形態においても、実施の形態１と同様に、電子書籍装置２は、書籍データ中の注目部分を強調して表示するのではなく、書籍データ中のテキストを音声で読み上げる処理を行うことも可能である。図９は、実施の形態２に係る電子書籍装置２が実行する音声読み上げの処理の手順を示すフローチャートである。使用者の操作により操作部１７に入力された所定の指示に従って、ＣＰＵ１１は、音声読み上げを行うべく設定し、以下の処理を実行する。ＣＰＵ１１は、記憶部１６が記憶する書籍データに基づいたテキスト画像を表示制御部１４１に生成させて表示部１４に表示させ（Ｓ４１）、表示部１４のいずれかの位置に人体が接触することによる表示部１４上の位置の指定を接触検出部２１が検出することを待ち受ける（Ｓ４２）。位置の指定の検出がない場合は（Ｓ４２：ＮＯ）、ＣＰＵ１１は、処理をステップＳ４１へ戻す。表示部１４上の位置の指定を接触検出部２１が検出した場合は（Ｓ４２：ＹＥＳ）、検出した表示部１４上の指定位置に内容が表示されている書籍データ中の注目部分を特定する（Ｓ４３）。ＣＰＵ１１は、次に、特定した書籍データ中の注目部分が表すテキストの内容を音声へ変換する処理を行い（Ｓ４４）、音声出力部１８に音声を出力させる（Ｓ４５）。ＣＰＵ１１は、次に、使用者の操作によって処理の終了の指示が操作部１７に入力されたか否かに基づいて、書籍データの内容を表示する処理を終了すべきか否かを判定する（Ｓ４６）。処理を終了すべきでないと判定した場合は（Ｓ４６：ＮＯ）、ＣＰＵ１１は、処理をステップＳ４１へ戻す。処理を終了すべきであると判定した場合は（Ｓ４６：ＹＥＳ）、ＣＰＵ１１は、書籍データの内容を表示する処理を終了する。
【００３０】
以上のようにして、表示部１４上で使用者が指で押さえることにより指定した位置が判定され、指定位置に表示される注目部分のテキスト内容が音声で出力される。これによって使用者は、書籍データの内容の内で指で指定した部分のテキスト内容を音声で確認することができるので、読んでいる最中の部分を見失いにくくなり、書籍データの内容をストレスなく読み進めることができるようになる。
【００３１】
なお、本実施の形態においては、電子書籍装置２は、表示部１４上で使用者の指が接触した位置を判定する形態を示したが、これに限るものではなく、スタイラスペン等の専用の接触器具を備え、表示部１４上で接触器具が接触した位置を判定して処理を実行する形態であってもよい。
【００３２】
なお、以上の実施の形態１及び２においては、電子書籍装置は、書籍データ中の注目部分の内容を強調して表示部１４で表示する機能と書籍データ中の注目部分のテキスト内容を音声出力する機能とを兼ね備えた形態を示したが、これに限るものではなく、いずれか一方の機能のみを備えた形態であってもよい。
【００３３】
また、以上の実施の形態１及び２においては、本発明の電子書籍装置は、書籍データの内容を表示するための専用の装置であるとしたが、これに限るものではなく、視線検出又は接触検出のための必要な機能を備えた汎用の情報処理装置を用いて実現した形態であってもよい。
【図面の簡単な説明】
【００３４】
【図１】実施の形態１に係る本発明の電子書籍装置の内部構成を示すブロック図である。
【図２】実施の形態１に係る電子書籍装置の外観の例を示す正面図である。
【図３】実施の形態１に係る電子書籍装置が実行する処理の手順を示すフローチャートである。
【図４】視線検出によって表示内容の一部を強調した電子書籍装置を示す正面図である。
【図５】実施の形態１に係る電子書籍装置が実行する音声読み上げの処理の手順を示すフローチャートである。
【図６】実施の形態２に係る本発明の電子書籍装置の内部構成を示すブロック図である。
【図７】実施の形態２に係る電子書籍装置が実行する処理の手順を示すフローチャートである。
【図８】接触検出によって表示内容の一部を強調した電子書籍装置を示す正面図である。
【図９】実施の形態２に係る電子書籍装置が実行する音声読み上げの処理の手順を示すフローチャートである。
【符号の説明】
【００３５】
１、２  電子書籍装置
１１  ＣＰＵ
１４  表示部（表示画面）
１５  視線検出部
１６  記憶部
１８  音声出色部
２１  接触検出部
【図１】
2007102360.tif 000003
【図２】
2007102360.tif 000004
【図３】
2007102360.tif 000005
【図４】
2007102360.tif 000006
【図５】
2007102360.tif 000007
【図６】
2007102360.tif 000008
【図７】
2007102360.tif 000009
【図８】
2007102360.tif 000010
【図９】
2007102360.tif 000011